(57)【要約】【課題】使用後の内視鏡を洗滌槽にセットするためのラックの提供。【解決手段】内視鏡１００を洗滌槽で洗滌するために使用するラック５０が、環状部６１，６２を有する。環状部６１，６２には、内視鏡１００のコード部１０２，１０３を環状部６１，６２の周方向へ導く案内手段が形成される。案内手段は、縦溝型コード受け部９１を含み、縦溝型コード受け部９１には溝の形状と上下方向における溝の位置とが異なる二種類のものが存在する。【選択図】図４
2011251015.tif 000002
【特許請求の範囲】
【請求項１】
線状材料によって形成された環状部と、線状材料によって形成されていて前記環状部の径方向へ延びる直状部とを有し、内視鏡を洗滌するための洗滌槽にセット可能に形成されかつ前記内視鏡を載せることが可能に形成されている内視鏡洗滌用のラックであって、
前記ラックが上下方向を有し、その方向のうちの下方向が前記ラックから前記洗滌槽の底面へ向かう方向であり、上方向が前記下方向の反対方向であって、
前記ラックには、前記内視鏡のコード部を前記環状部の周方向へ導くことが可能であって前記周方向において互いに離間する複数のコード案内手段が設けられ、
前記案内手段が、前記コード部を前記上方向から前記下方向に向かって挿入可能に形成された縦溝型コード受け部を含み、前記縦溝型コード受け部には、溝の形状と前記上下方向における前記溝の位置とが異なる少なくとも二種類のものが存在することを特徴とする前記ラック。
【請求項２】
前記縦溝型コード受け部は、前記環状部および前記直状部とは別体の線状材料を屈曲させることにより形成されている請求項１記載のラック。
【請求項３】
前記二種類の縦溝型コード受け部における前記溝の形状は、前記上方向に向かって開口するＵの字形状と前記上方向に向かって開口するコの字形状とである請求項１または２記載のラック。
【請求項４】
前記二種類の縦溝型コード受け部における前記溝の前記上下方向における位置は、前記溝の底部どうしの間において少なくとも１５ｍｍ離間している請求項１〜３のいずれかに記載のラック。
【請求項５】
前記二種類の縦溝型コード受け部それぞれは、前記環状部の半周分の長さに対して複数存在するという配置割合にある請求項１〜４のいずれかに記載のラック。
【請求項６】
前記環状部には、内径の小さい内側円環状部と内径の大きい外側円環状部とが含まれていてこれら両円環状部が同一平面上にあってかつ同心円の関係にあり、前記直状部は前記両円環状部のそれぞれと交差するように延びるとともに前記両円環状部のそれぞれに対して接合されている請求項１〜５のいずれかに記載のラック。
【請求項７】
前記二種類の前記縦溝型コード受け部の一方が、前記環状部および前記直状部のいずれかから前記上方向へ延びるポール部に形成され、前記縦溝型コード受け部のもう一方が、前記環状部および前記直状部のいずれかに形成されている請求項１〜６のいずれかに記載のラック。
【請求項８】
前記直状部には少なくとも長尺直状部と短尺直状部とが含まれ、前記長尺直状部は前記外側円環状部の直径よりも長く形成されていて両端部が前記外側円環状部の外側へ延出し、前記短尺直状部は前記外側円環状部の直径よりも短く形成されていて前記長尺直状部と交差する方向へ延びた両端部のうちの一方のみが前記外側円環状部の外側へ延出し、前記短尺直状部には前記外側円環状部の外側へ延出している部分に前記縦溝型コード受け部の前記もう一方が形成されている請求項７記載のラック。
【請求項９】
前記直状部には少なくとも長尺直状部と短尺直状部とが含まれ、前記長尺直状部は前記外側円環状部の直径よりも長く形成されていて両端部が前記外側円環状部の外側へ延出し、前記短尺直状部は前記外側円環状部の直径よりも短く形成されていて前記長尺直状部と交差する方向へ延びた両端部のうちの一方のみが前記外側円環状部の外側へ延出し、前記短尺直状部には前記外側円環状部の外側へ延出している部分に前記コード部を前記径方向から挿入できるように前記外側円環状部の内側に向かって横向きに開口する前記案内手段としての横溝型コード受け部が形成されている請求項５〜８のいずれかに記載のラック。
【請求項１０】
前記直状部には、互いに直交する二方向へ延びるものと、前記二方向に対する交差方向へ延びるものとが含まれている請求項１〜９のいずれかに記載のラック。
【発明の詳細な説明】
【技術分野】
【０００１】
この発明は、洗滌槽にセットして、使用後の内視鏡を洗滌するために使用するのに好適なラックに関する。
【背景技術】
【０００２】
内視鏡の自動洗滌機は従来周知である。この種の自動洗滌機は洗滌槽を有し、使用後の内視鏡はその洗滌槽にセットしたラックに載せて洗滌することがある。
【０００３】
例えば、特許第３２７８３２０号公報（ＪＰ３２７８３２０Ｂ、特許文献１）には内視鏡洗浄消毒装置の名の下にラックの一例が開示されている。このラックは、下段の内視鏡載置部材と上段の内視鏡載置部材とを有するもので、下段の内視鏡載置部材は、目の細かい格子状のものであり、上段の内視鏡載置部材は互いに平行で大きなピッチを有する複数のワイヤによって形成されている。洗浄すべき内視鏡は、上段のワイヤの上に載せられる。
【０００４】
また、興研（株）が製造・販売する内視鏡洗滌装置「鏡内侍（かがみないし）」のカタログ（２００６年５月発行、非特許文献１）には、洗滌槽にセットされたラックと、ラックに載せられた内視鏡とが示されている。そのラックは、同心円を画くように配置された外側円環状部と内側円環状部とを有し、これら両環状部の間には直状部が径方向へ延びている。その直状部には、内視鏡のコード部が洗滌槽の内側で環状に延びることを可能にする案内部が形成されている。
【先行技術文献】
【特許文献】
【０００５】
【特許文献１】特許第３２７８３２０号公報（ＪＰ３２７８３２０Ｂ）
【非特許文献】
【０００６】
【非特許文献１】興研（株）が製造・販売する内視鏡洗滌装置「鏡内侍（かがみないし）」のカタログ（２００６年５月発行）
【発明の概要】
【発明が解決しようとする課題】
【０００７】
洗滌すべき内視鏡を互いに平行な複数本のワイヤの上に載せる従来技術では、洗滌する内視鏡それぞれについて一定した環を画くようにコード部をラックに載せることが難しく、またラックの上でコード部が重なり合うことなどによって接触することを避けることも難しい。それゆえに、内視鏡に洗滌水を噴射して洗滌しようとするときに、内視鏡毎に洗滌条件が異なるという問題やコード部の重なり合う部分を洗滌することが難しいという問題がある。
【０００８】
内視鏡のコード部が環状に延びることを可能にする案内部が形成された従来のラックであれば、洗滌するどの内視鏡についてもコード部に一定した環を画かせることが容易になる。しかし、一般的な内視鏡には二本のコード部があり、その二本のコード部が重なり合うことなどによって接触することを避けることは難しいという問題がある。
【０００９】
そこでこの発明では、洗滌すべき内視鏡の二本のコード部が重なり合うことなどによって接触して互いに洗滌の邪魔になるということを防止できるラックの提供を課題にしている。
【課題を解決するための手段】
【００１０】
前記課題を解決するために、この発明が対象とするのは、線状材料によって形成された環状部と、線状材料によって形成されていて前記環状部の径方向へ延びる直状部とを有し、内視鏡を洗滌するための洗滌槽にセット可能に形成されかつ前記内視鏡を載せることが可能に形成されている内視鏡洗滌用のラックである。
【００１１】
かかるラックにおいて、この発明が特徴とするところは以下のとおりである。前記ラックは上下方向を有し、その方向のうちの下方向が前記ラックから前記洗滌槽の底面へ向かう方向であり、上方向が前記下方向の反対方向である。前記ラックには、前記内視鏡のコード部を前記環状部の周方向へ導くことが可能であって前記周方向において互いに離間する複数のコード案内手段が設けられる。前記案内手段は、前記コード部を前記上方向から前記下方向に向かって挿入可能に形成された縦溝型コード受け部を含み、前記縦溝型コード受け部には、溝の形状と前記上下方向における前記溝の位置とが異なる少なくとも二種類のものが存在する。
【００１２】
この発明の実施形態の一つにおいて、前記縦溝型コード受け部は、前記環状部および前記直状部とは別体の線状材料を屈曲させることにより形成されている。
【００１３】
この発明の実施形態の他の一つにおいて、前記二種類の縦溝型コード受け部における前記溝の形状は、前記上方向に向かって開口するＵの字形状と前記上方向に向かって開口するコの字形状とである。
【００１４】
この発明の実施形態の他の一つにおいて、前記二種類の縦溝型コード受け部における前記溝の前記上下方向における位置は、前記溝の底部どうしの間において少なくとも１５ｍｍ離間している。
【００１５】
この発明の実施形態の他の一つにおいて、前記二種類の縦溝型コード受け部それぞれは、前記環状部の半周分の長さに対して複数存在するという配置割合にある。
【００１６】
この発明の実施形態の他の一つにおいて、前記環状部には、内径の小さい内側円環状部と内径の大きい外側円環状部とが含まれていてこれら両円環状部が同一平面上にあってかつ同心円の関係にあり、前記直状部は前記両円環状部のそれぞれと交差するように延びるとともに前記両円環状部のそれぞれに対して接合されている。
【００１７】
この発明の実施形態の他の一つにおいて、前記二種類の前記縦溝型コード受け部の一方が、前記環状部および前記直状部のいずれかから前記上方向へ延びるポール部に形成され、前記縦溝型コード受け部のもう一方が、前記環状部および前記直状部のいずれかに形成されている。
【００１８】
この発明の実施形態の他の一つにおいて、前記直状部には少なくとも長尺直状部と短尺直状部とが含まれ、前記長尺直状部は前記外側円環状部の直径よりも長く形成されていて両端部が前記外側円環状部の外側へ延出し、前記短尺直状部は前記外側円環状部の直径よりも短く形成されていて前記長尺直状部と交差する方向へ延びた両端部のうちの一方のみが前記外側円環状部の外側へ延出し、前記短尺直状部には前記外側円環状部の外側へ延出している部分に前記縦溝型コード受け部の前記もう一方が形成されている。
【００１９】
この発明の実施形態の他の一つにおいて、前記直状部には、少なくとも長尺直状部と短尺直状部とが含まれ、前記長尺直状部は前記外側円環状部の直径よりも長く形成されていて両端部が前記外側円環状部の外側へ延出し、前記短尺直状部は前記外側円環状部の直径よりも短く形成されていて前記長尺直状部と交差する方向へ延びた両端部のうちの一方のみが前記外側円環状部の外側へ延出し、前記短尺直状部には前記外側円環状部の外側へ延出している部分に、前記案内手段として、前記コード部を前記径方向から挿入できるように前記外側円環状部の内側に向かって横向きに開口する横溝型コード受け部が形成されている。
【００２０】
この発明の実施形態のさらに他の一つにおいて、前記直状部には、互いに直交する二方向へ延びるものと、前記二方向に対する交差方向へ延びるものとが含まれている。
【発明の効果】
【００２１】
この発明に係る内視鏡洗滌用のラックは、環状部を有し、その環状部には内視鏡のコード部を環状部の周方向へ導くことが可能な複数のコード案内手段が形成されている。その案内手段は、コード部を上方から挿入可能な縦溝型コード受け部を含み、その縦溝型コード受け部には、溝の形状と上下方向における溝の位置とが異なる少なくとも二種類のものが存在する。内視鏡をラックの上にセットするときには、内視鏡の二本のコード部についてその二種類の縦溝型コード受け部を使い分けることで、コード部どうしが長い距離や多くの箇所で重なるとか接触するとかして互いに洗滌の邪魔になるということを防止できる。
【図面の簡単な説明】
【００２２】
【図１】ラックがセットされている洗滌装置の頂面図。
【図２】ラックの頂面図。
【図３】ラックの斜視図。
【図４】内視鏡がセットされているラックの頂面図。
【図５】内視鏡がラックにセットされる手順を示す図４と同様な図。
【図６】図５と同様な図。
【発明を実施するための形態】
【００２３】
添付の図面を参照して、この発明に係る内視鏡洗滌用のラックの詳細を説明すると、以下のとおりである。
【００２４】
図１は、内視鏡自動洗滌装置１の頂面図であるが、装置１にセットされた内視鏡洗滌用のラック５０も併せて示されている。図１の装置１は、水平な床（図示せず）に置いたものを垂直方向の上方から見たものであって、矢印Ｆ，Ｒ，ＬＳ，ＲＳのそれぞれで示す前方、後方、左側方、右側方を有する。前方Ｆは、装置１の通常作業において作業者（図示せず）が立つ側であり、左側方と右側方とはその作業者にとっての左側方と右側方とを意味している。装置１には、水平な床に対する垂直方向に所要の深さを有する洗滌槽６と、洗滌槽６の周囲に位置する天板部分７とが形成されている。
【００２５】
図示例において、洗滌槽６は、開口形状がほぼ矩形のもので、底面１１と、前方側壁部１２と、後方側壁部１３と、左方側壁部１４と、右方側壁部１５とを有する。後方側壁部１３には洗滌槽６の内側に突出する小物収容部１６が形成されている。後方側壁部１３と右方側壁部１５との間のコーナー部には、先端に第１洗滌ブラシ８ａを有する第１ワイヤ部９ａの一部分とその第１ワイヤ部９ａを介して第１洗滌ブラシ８ａを前進後退させるモータ（図示せず）とが収まる第１収容部１７が形成されている。右方側壁部１５にはまた、先端に第２洗滌ブラシ８ｂを有する第２ワイヤ部９ｂの一部分とその第２ワイヤ部９ｂを介して第２洗滌ブラシ８ｂを前進後退させるモータ（図示せず）とが収まる第２収容部１８が形成されている。第１、第２収容部１７，１８からは、第１、第２ワイヤ案内部１７ａ，１８ａが延びている。第１、第２ワイヤ案内部１７ａ，１８ａは、フレキシブルなチューブで形成されていて、内側に第１、第２ワイヤ部９ａ，９ｂが前進後退可能に納まっている。第１ワイヤ案内部１７ａは、第１カプラ１９ａにつながり、第２ワイヤ案内部１８ａは、第２カプラ１９ｂにつながっている。前方側壁部１２と左方側壁部１４との間のコーナー部２３、前方側壁部１２と右方側壁部１５との間のコーナー部２４および後方側壁部１３には、洗滌水の噴射口２６が設けられている。
【００２６】
洗滌槽６の底面１１は、後方Ｒから前方Ｆに向かって下り勾配となるように形成されていて、複数の洗滌水供給部２１と、排水口２２とを有する。洗滌水供給部２１は、底面１１から突出していて、適宜の長さの給水ホース（図示せず）が接続可能に形成されている。その給水ホースを使用して、例えば小物収容部１６に洗滌水を供給したり、洗滌すべき内視鏡１００（図４参照）の内部に洗滌水を供給したりすることができる。図１では、洗滌水供給部２１の一つ２１ａから延びる給水ホース２１ｂが第１カプラ１９ａにつながっている。
【００２７】
かような洗滌槽６にセットされたラック５０は、前方Ｆに形成されている部位５１が前方側壁部１２に当接または接近し、左側方ＬＳに形成されている部位５２が左方側壁部１４に当接または接近し、後方Ｒに形成されている部位５３が、小物収容部１６に両側から当接または接近していて、洗滌槽６の内側でラック５０の位置が固定された状態にある。
【００２８】
装置１における天板部分７は、前方Ｆに操作パネル部３１が形成され、後方Ｒに蓋取付部３２が形成されている。操作パネル部３１では、装置１の運転操作や運転条件の設定、運転の進行状態の監視が可能である。蓋取付部３２は、洗滌槽６の開口を開閉するための蓋（図示せず）を着脱することができるように形成されている。内視鏡１００をラック５０に載せて洗滌するときには、洗滌槽６の開口を閉じて、洗滌水が洗滌槽６の外へ飛散することを防ぐ。
【００２９】
図２，３は、ラック５０の頂面図と斜視図とである。ラック５０は、洗滌槽６の前方Ｆ、後方Ｒ、左側方ＬＳ、右側方ＲＳに一致する前方Ｆ、後方Ｒ、左側方ＬＳ、右側方ＲＳを有することに加えて、洗滌槽６の上方と下方とに一致する上方Ａと下方Ｂ（図３参照）とを有し、下方Ｂはラック５０が洗滌槽６の底面１１と向かい合う方向である。
【００３０】
このようなラック５０は、上方Ａから内視鏡１００を載せることができるように形成されているもので、内径の小さい内側円環状部６１と内径の大きい外側円環状部６２とを有し、これら両円環状部６１，６２が同一平面上にあってかつ同心円の関係にある。ラック５０はまた、両円環状部６１，６２の径方向へ延びる複数の直状部を有し、その直状部には外側円環状部６２の直径よりも長い長尺直状部７１と、外側円環状部６２の直径よりも短い短尺直状部７２とが含まれている。これら内側円環状部６１、外側円環状部６２、長尺直状部７１および短尺直状部７２は、例えば直径０．５〜５ｍｍの金属製またはプラスチック製の線材に所要の曲げ加工を施すことによって形成されていて、線材どうしは互いに接触し合う部分において溶接や接着等の接合手段により接合している。また、好ましいラック５０においては、柔軟なプラスチックの被膜を一例とする柔軟なコーティング材で線材を被覆して、ラック５０によって内視鏡１００に損傷を与えることがないようにしてある。そのコーティング材は、ラック５０に対しての防錆材としても作用している。
【００３１】
ラック５０のうちの長尺直状部７１には、第１長尺直状部７１ａと第２長尺直状部７１ｂとが含まれている。第１長尺直状部７１ａは、外側円環状部６２を左右に二等分するように前方Ｆと後方Ｒとに向かって延びている。第２長尺直状部７１ｂは、第１長尺直状部７１ａとの間の離間距離が前方Ｆから後方Ｒに向かって次第に大きくなるように延びていて、後方Ｒにおいて一部分が屈曲している。第１長尺直状部７１ａの両端部８１ａ，８２ａは外側円環状部６２から延出し、第２長尺直状部７１ｂの両端部８１ｂ，８２ｂも外側円環状部６２から延出している。ただし、第１長尺直状部７１ａの端部８１ａはラック５０における第１部位５１につながっている。また、第１長尺直状部７１ａの端部８２ａと第２長尺直状部７１ｂの端部８２ｂとは、ラック５０における第３部位５３につながっている。
【００３２】
ラック５０のうちの短尺直状部７２は、内側円環状部６１と外側円環状部６２とに交差して外側円環状部６２の径方向へ延びるとともに、一方の端部が外側円環状部６２の外側にあり、もう一方の端部が内側円環状部６１の内側にある。このような短尺直状部７２は、第１長尺直状部７１ａと交差する方向へ延びているものでもある。短尺直状部７２には、図２において時計回り方向へ並ぶ第１〜第１１短尺直状部７２ａ〜７２ｋが含まれている。ただし、第２、第３短尺直状部７２ｂ，７２ｃは、外側円環状部６２に周方向における間隙７３を形成するために使用されている。その間隙７３は、洗滌槽６における第２収容部１８と外側円環状部６２との接触を避けるために用意された部位である（図１参照）。また、第８、第９短尺直状部７２ｈ，７２ｉは、ラック５０における第２部位５２を形成するために使用されている。なお、短尺直状部を総称する参照符号７２は、図２，３が繁雑なものになることを避けるために、第１〜第１１短尺直状部７２ａ〜７２ｋのうちの一部のもののみに示されている。
【００３３】
このようなラック５０ではまた、内視鏡１００のコード部である後記図４のユニバーサルコード部１０２と挿入部１０３とのそれぞれを内側円環状部６１および外側円環状部６２の周方向へ導くことが可能な案内手段が形成されている。その案内手段には、コード部を上方向Ａから下方向Ｂに向かって挿入可能に形成された縦溝型の第１コード受け部９１と、コード部を外側円環状部６２における径方向の内側から外側に向かって挿入可能となるように、横方向に向かって開口している横溝型の第２コード受け部９２とが含まれている。
【００３４】
第１コード受け部９１には、少なくとも二種類の形状の溝が存在していて、図には二種類の形状の溝の例として上方Ａに向かって開口しているＵの字形状の第１溝９１ａと、上方Ａに向かって開口しているコの字形状の第２溝９１ｂとが示されている。第１溝９１ａも第２溝９１ｂも、両環状部６１，６２の周方向において間欠的に、かつ半周分の距離に対して複数存在するという配置割合にあることが好ましい。第１溝９１ａや第２溝９１ｂがそのように配置されていると、内視鏡１００のコード部をラック５０にセットするときに、大きな環を画くようにそのコード部をセットすることが容易になる。加えて、図３において明らかなように、第１溝９１ａには、（１）第１、第４、第８、第１１短尺直状部７２ａ，７２ｄ，７２ｈ，７２ｋに対して基部９３ｂが取り付けられていて上方Ａへ延びている第１ポール９３の頂部９３ａに形成されているものと、（２）第２長尺直状部７１ｂに基部９４ｂが取り付けられていて上方Ａへ延びている第２ポール９４の頂部９４ａに形成されているものとが含まれている。また、第２溝９１ｂには、（１）外側円環状部６２の内側において第１、第４短尺直状部７２ａ，７２ｄに形成されているものと、（２）外側円環状部６２をまたぐようにして第７短尺直状部７２ｇと第２長尺直状部７１ｂとに形成されているものと、（３）外側円環状部６２の外側において第４短尺直状部７２ｄと第１長尺直状部７１ａとに形成されているものとがある。
【００３５】
第１コード受け部９１において、これら第１溝９１ａと第２溝９１ｂとは、溝の形状に違いがあってそれぞれを識別することが容易である他に、内側円環状部６１と外側円環状部６２とを含む平面（図示せず）に対しての高さ方向、すなわちラック５０の上下方向における位置にも違いがある。第１溝９１ａは、第２溝９１ｂよりも上方にあり、ラック５０の上下方向において、第１溝９１ａの底部９５（図３参照）と第２溝９１ｂの底部９６（図３参照）とは少なくとも１５ｍｍ離間している。また、複数の第１溝９１ａの間では，底部９５の高さを同じにしたり、時計回り方向において順に高くなるようにしたり、特定の第１溝９１ａだけについて低くまたは高くなるようにしたりすることができる。ただし、図示例では、第８短尺直状部７２ｈにおける第１溝９１ａの底部９５の高さＨ２が，第１、第４、第１１短尺直状部７２ａ，７２ｄ，７２ｋにおける第１溝９１ａの底部９５の高さＨ１や第２長尺直状部７１ｂにおける第１溝９１ａの底部９５の高さＨ３よりも低く形成される一方、高さＨ１と高さＨ３とが同じ高さに形成されている。複数の第２溝９２ｂの底部９６は、同じ高さに揃えられている。
【００３６】
ラック５０における横溝型の第２コード受け部９２は、外側円環状部６２の外側において第６短尺直状部７２ｆに形成されている。
【００３７】
ラック５０における第１〜第１１短尺直状部７２ａ〜７２ｋのうちの第１、第５、第７、第１０短尺直状部７２ａ，７２ｅ，７２ｇ，７２ｊは、それらの外端部が外側円環状部６２から垂下するように折曲されていて、洗滌槽６の底面１１に当接可能な脚部５６を形成している。
【００３８】
ラック５０ではさらに、第１長尺直状部７１ａと第２長尺直状部７１ｂとに対して、上方Ａへ延びる第３〜第５ポール９７ａ〜９７ｃが形成され、第７短尺直状部７２ｇに第６ポール９８が形成されている。第２長尺直状部７１ｂと内側円環状部６１とには、第１長尺直状部７１ａに直交して左右方向へ延びる支持部５７の両端部がつながっている。ラック５０における第１ポール９３や第２ポール９４、第３〜第５ポール９７ａ〜９７ｃ、第６ポール９８、支持部５７、第１コード受け部９１、第２コード受け部９２は、内側円環状部６１や外側円環状部６２等を形成している線材とは別体の金属やプラスチックの線材によって形成されている。そして、すべの線材は、互いに接触する部位において溶接や接着等の接合手段によって接合している。
【００３９】
このように形成されているラック５０が洗滌槽６にセットされている図１において、第１長尺直状部７１ａは、左方側壁部１４と右方側壁部１５とに並行して前後方向延び、第４短尺直状部７２ｄは外側円環状部６２を越えてコーナー部２４の方向へ延び、第１長尺直状部７１ａの端部８１ａと第２長尺直状部７１ｂの端部８１ｂとが外側円環状部６２を越えて前方側壁部１２に向かって延びている。また、第６、第７短尺直状部７２ｆ，７２ｇは外側円環状部６２を越えてコーナー部２３に向かって延び、第１１短尺直状部７２ｋは後方側壁部１３と左方側壁部１４との間のコーナー部２５に向かって延びている。ラック５０と洗滌槽６とについては、次のようにいうこともできる。すなわち、ラック５０の第１長尺直状部７１ａと第８短尺直状部７２ｈとは、互いに直交して洗滌槽６の前後方向と左右方向との二方向へ延びている。第４、第６、第７、第１１短尺直状部７２ｄ，７２ｆ，７２ｇ，７２ｋは、その二方向と交差する方向へ延びて、洗滌槽６のコーナー部２３，２４，２５のいずれかと外側環状部６２との間のスペースにおける第１コード受け部９１または第２コード受け部９２の形成を可能にしている。ラック５０がこのようであると、そのスペースにも内視鏡１００のコード部をセットすることができるようになる（図４参照）。
【００４０】
図４は、内視鏡１００が図２のラック５０にセットされている状態を示す図である。内視鏡１００は、把持部１０１と、把持部１０１から延びるユニバーサルコード部１０２と挿入部１０３とを有し、ユニバーサルコード部１０２の先端にはコネクタ部１０４が形成されている。把持部１０１における台座部１１１には、アングルノブ１１６，１１７やアングル固定用摘み１１８，１１９が設けられている他に、アングルノブ１１６，１１７を切り欠くことによって示されているように、第１口金１０７と第２口金１０８とが設けられ、これら両口金１０７，１０８から離間した位置には第３口金１０９が設けられている。内視鏡１００は、それを使用するときに、第１口金１０７に吸水ボタン（図示せず）が抜脱可能な状態で挿入され、第２口金１０８に送気・送水ボタン（図示せず）が抜脱可能な状態で挿入され、第３口金１０９には鉗子栓（図示せず）が抜脱可能な状態で挿入されるのであるが、洗滌するときには、吸引ボタン、送気・送水ボタン、鉗子栓が外されて、第１口金１０７と第２口金１０８とには第１カプラ１９ａ（図１参照）を介して第１ワイヤ案内部１７ａと給水ホース２１ｂとが接続され、第３口金１０９には第２カプラ１９ｂ（図１参照）を介して第２ワイヤ案内部１８ａが接続される。第１口金１０７には、第１ワイヤ案内部１７ａから延出している第１洗滌ブラシ８ａが挿入されて、第１収容部１７に納まるモータによってその第１洗滌ブラシ８ａがユニバーサルコード部１０２の内部で往復運動し、その内部を洗滌する。第１洗滌ブラシ８ａが往復運動するときには、第２口金１０８を介して洗滌水供給ホース２１ｂからユニバーサルコード部１０２の内部へ洗滌水が供給される。第３口金１０９には、第２ワイヤ案内部１８ａから延出している第２洗滌ブラシ８ｂが挿入されて、第２収容部１８に納まるモータによってその第２洗滌ブラシ８ｂが挿入部１０３の内部で往復運動し、その内部を洗滌する。洗滌槽６における噴射口２６からは、ラック５０にセットされている内視鏡１００に向かって洗滌水が噴射される。
【００４１】
かように洗滌される内視鏡１００において、把持部１０１は図の前方Ｆから後方Ｒに向かって径が次第に大きくなるように形成されているから、同じように図の前方から後方に向かって互いの離間距離が大きくなるように形成されている第１長尺直状部７１ａと第２長尺直状部７１ｂとの間にその把持部１０１をセットする。これら両直状部７１ａ，７１ｂに取り付けられた第３〜第５ポール９７ａ〜９７ｃは、把持部１０１が前方Ｆや後方Ｒ、左側方ＬＳ、右側方ＲＳへ動くことを防いでいる。把持部１０１は、それをセットするときに、第１、第２口金１０７，１０８が洗滌槽６における第１、第２収容部１７，１８と向き合うようにして、第１カプラ１９ａや第２カプラ１９ｂの把持部１０１に対する取り付けを容易にしておくことが好ましい。
【００４２】
内視鏡１００のユニバーサルコード部１０２は、ラック５０において環を画くように反時計回りの方向へ延ばされた状態で第１コード受け部９１のうちでコの字形状を画いている第２溝９１ｂへ上方から挿入されている。ただし、複数の第２溝９１ｂは、ユニバーサルコード部１０２の画く環が大きくなるように、好ましくはできるだけ大きくなるようにしながら選択的に使用される。
【００４３】
内視鏡１００の挿入部１０３は、ラック５０において環を画くように時計回りの方向へ延ばされた状態で、第１コード受け部９１のうちでＵの字形状を画いている第１溝９１ａへ上方から挿入されている。ただし、複数の第１溝９１ａは、挿入部１０３の画く環が大きくなるように、好ましくはできるだけ大きくなるようにしながら選択的に使用される。挿入部１０３はまた、外側円環状部６２の径方向の内側から外側に向かって第２コード受け部９２にも挿入されている。
【００４４】
図５，６は、内視鏡１００を図４の如くラック５０にセットするときの手順を示す図である。内視鏡１００は、図５におけるように、把持部１０１を第１長尺直状部７１ａと第２長尺直状部７１ｂとの間に置いてアングルノブ１１６，１１７の近傍をラック５０における支持部５７に載せ、把持部１０１のうちで挿入部１０３が延出している部位の近傍を内側円環状部６１に載せるとともに、第１、第２口金１０７，１０８を洗滌槽６における第１、第２収容部１７，１８（図１参照）に向ける。挿入部１０３は前方Ｆへ延ばしておき、ユニバーサルコード部１０２は、反時計回りの方向へ延ばして第７短尺直状部７２ｇにおける第２溝９１ｂへ挿入しておく。
【００４５】
次に、図６におけるように、ユニバーサルコード部１０２を反時計回りの方向へさらに延ばして、第２長尺直状部７１ｂにおける第２溝９１ｂ、第４短尺直状部７２ｄにおける第２溝９１ｂ、第１短尺直状部７２ａにおける第２溝９１ｂおよび第１１短尺直状部１１ｋにおける第２溝９１ｂへ順次挿入し、ユニバーサルコード部１０２の先端にあるコネクタ部１０４を第７短尺直状部７２ｇにおける第６ポール９８に接触させておく。その後に、挿入部１０３を図４に示されているように時計回りの方向へ延ばしながら、まず第２コード受け部９２に挿入する。次に、高さＨ２の底部９５を有する第８短尺直状部７２ｈの第１溝９１ａに挿入し、続いて高さＨ１の底部９５を有する第１溝９１に順次挿入する。高さＨ２は、高さＨ１よりも低いので、挿入部１０３は徐々に上昇しながら時計回りの方向へ延びる。
【００４６】
このように、この発明に係るラック５０では、縦溝型コード受け部９１に形状の違う第１溝９１ａと第２溝９１ｂとがあるから、ユニバーサルコード部１０２と挿入部１０３とで、第１溝９１ａと第２溝９１ｂとを図示例の如く使い分けることで、ユニバーサルコード部１０２と挿入部１０３とのラック５０に対する配置状態が常に一定となり、洗滌作業者によってその配置状態が変化して内視鏡１００の洗滌条件が安定しないという問題の発生を防ぐことができる。また、第１溝９１ａと第２溝９１ｂとは、それらの底部９５，９６の上下方向における位置が異なり、底部９５が底部９６よりも上方にあるから、ユニバーサルコード部１０２と挿入部１０３とが長い距離や多くの箇所で重なり合ったり接触し合ったりすることを防いで、内視鏡１００に向かって洗滌水を噴射するときや内視鏡１００を洗滌水に漬けるときに、それぞれのコード部を隈なく洗滌することができるようになる。
【００４７】
ラック５０ではまた、第４短尺直状部７２ｄが洗滌槽６のコーナー部２４に向かって延びるように外側円環状部６２から延出し、第６短尺直状部７２ｆが洗滌槽６のコーナー部２３に向かって延びるように外側円環状部６２から延出し、第１１短尺直状部７２ｋがコーナー部２５に向かって延びるように外側円環状部６２から延出して、その延出している部位に第１コード受け部９１または第２コード受け部９２が形成されているから、ラック５０では、矩形の洗滌槽６のコーナー部２３，２４，２５の近傍を使用して、ユニバーサルコード部１０２や挿入部１０３に大きな環を画かせることができる。ユニバーサルコード部１０２や挿入部１０３の画く環が大きくなるほど、これらコード部内での第１、第２洗滌ブラシ８ａ，８ｂの往復運動がスムーズになる。
【００４８】
この発明に係るラック５０は、図示例の形状に限れられるわけではない。例えば、ラック５０は、その平面形状が環状であればよいものであるから、図示例の内側円環状部６１や外側円環状部６２は、それらの形状を角型の環状部に代えることも可能である。また、第１コード受け部９１における第１溝９１ａの形状を上方Ａに向かって開口したコの字形状にする一方、第２溝９１ｂの形状を上方Ａに向かって開口したＵの字形状にすることができる。さらにはまた、縦溝の形状には、コの字形状やＵの字形状以外の形状を採用することもできる。内側円環状部６１や外側円環状部６２の周方向における第１溝９１ａや第２溝９１ｂの配置数や配置間隔も、図示例に限られるわけではなく、適宜変更することができる。第２コード受け部９２もまた、その形状を変更したり配置数を増加したりすることができる。これらの第１コード受け部９１や第２コード受け部９２は洗滌する内視鏡の型式や大きさ等に応じて選択的に使用すればよいものである。
【符号の説明】
【００４９】
１    装置
６    洗滌槽
１１    底面
５０    ラック
６１    環状部（内側円環状部）
６２    環状部（外側円環状部）
７１ａ，７１ｂ    直状部（長尺直状部）
７２ａ〜７２ｋ    直状部（短尺直状部）
９１，９１ａ，９１ｂ    縦溝型コード受け部
９２    横溝型コード受け部
１００    内視鏡
１０２    コード部（ユニバーサルコード部）
１０３    コード部（挿入部）
Ａ    上方向
Ｂ    下方向
【図１】
2011251015.tif 000003
【図２】
2011251015.tif 000004
【図３】
2011251015.tif 000005
【図４】
2011251015.tif 000006
【図５】
2011251015.tif 000007
【図６】
2011251015.tif 000008